(57)【要約】【課題】搬送中などにおける外部からの衝撃に対し、それ自体の損傷が抑制され、且つ、内部に収納した電池を確実に保護することができる電池用包装容器と電池パッケージを提供する。【解決手段】ブリスターパック１０では、トレイが、カップ状に形成された電池収納部と、当該電池収納部の外縁に設けられたフランジ状の縁部１２ｂとを有する浅皿状をしている。一方、カバーは、トレイにおける電池収納部と縁部１２ｂとを覆う状態に形成されている。カバーにおける角部分１１ｄとトレイにおける電池収納部とを最短距離で結ぶ線上において、カバーとトレイとの間に間隙１０ａがあけられている。間隙１０ａは、外部からの衝撃に対する緩衝部として機能する。【選択図】図３
2010092603.tif 000002
【特許請求の範囲】
【請求項１】
トレイとカバーとの組み付けにより、内部に電池用の収納空間が形成される電池用包装容器であって、
前記トレイは、カップ状に形成された電池収納部と、当該電池収納部の外縁に設けられたフランジ状の縁部とを有する浅皿状をしており、
前記カバーは、前記トレイにおける電池収納部と縁部とを覆う状態に形成されており、
前記カバーにおける縁部の外辺の少なくとも一部と、前記トレイにおける電池収納部とを最短距離で結ぶ線上には、外部からの衝撃を緩和する緩衝部が設けられている
ことを特徴とする電池用包装容器。
【請求項２】
前記カバーにおける外辺の少なくとも一部は、前記トレイにおける縁部の対応する部分よりも外方に突出しており、
前記緩衝部は、前記カバーにおける突出部分と、前記トレイにおける電池収納部とを最短距離で結ぶ線上に設けられている
ことを特徴とする請求項１に記載の電池用包装容器。
【請求項３】
前記トレイには、前記電池収納部と前記縁部との境界部分において、前記縁部の主面から起立した壁面が構成されており、
前記カバーには、前記トレイの起立壁面が形成された部分に対応する箇所において、互いの組み付け時に対向する起立壁面が形成されており、
前記カバーにおける突出部分と、前記トレイにおける電池収納部とを最短距離で結ぶ線上において、前記トレイの起立壁面と前記カバーにおける起立壁面との間には、前記緩衝部としての間隙があけられている
ことを特徴とする請求項１または２に記載の電池用包装容器。
【請求項４】
前記トレイと前記カバーとは、互いの起立壁面に設けられた凹凸の嵌合により組み付けられている
ことを特徴とする請求項３に記載の電池用包装容器。
【請求項５】
前記トレイおよび前記カバーは、これらを平面視するとき、ともに角部分にＲがつけられてなる矩形状をしており、
前記カバーにおける前記角部分の曲率半径は、前記トレイにおける前記角部分の曲率半径よりも小さく設定されており、
前記カバーにおける前記角部分の曲率半径と、前記トレイにおける前記角部分の曲率半径の差をもって、前記カバーの突出部分が構成されている
ことを特徴とする請求項２に記載の電池用包装容器。
【請求項６】
前記緩衝部は、前記トレイおよび前記カバーの角部分と前記電池収納部とを最短距離で結ぶ線上に設けられている
ことを特徴とする請求項５に記載の電池用包装容器。
【請求項７】
前記トレイおよび前記カバーは、ともに樹脂材料から形成されており、
前記トレイおよび前記カバーの少なくとも一方は、光透過性を有する
ことを特徴とする請求項１から６の何れかに記載の電池用包装容器。
【請求項８】
前記トレイおよび前記カバーは、少なくともその外表面が抗菌処理されている
ことを特徴とする請求項１から７の何れかに記載の電池用包装容器。
【請求項９】
１または複数の電池が包装容器内に収納されてなる電池パッケージであって、
前記包装容器として、請求項１から８の何れかの電池用包装容器が用いられている
ことを特徴とする電池パッケージ。
【請求項１０】
前記電池として、ニッケル水素二次電池が適用されている
ことを特徴とする請求項９に記載の電池パッケージ。
【発明の詳細な説明】
【技術分野】
【０００１】
本発明は、電池用包装容器および電池用パッケージに関する。
【背景技術】
【０００２】
近年、携帯電話機やディジタルカメラなどのモバイル機器の普及に伴って、これらの電源として用いられる電池が多く用いられるようになってきている。
電池は、店頭での販売の際に購買者が電池を視認することができるように、透光性樹脂などで形成されたブリスターパックに収納され、この状態でパックごとフックに掛けられて販売されている。なお、電池の販売においては、単数での販売も行われることはあるが、使用実態や流通段階での利便性などを考慮して複数本の電池が一つのブリスターパック内に収納されることが多い。電池用のブリスターパックについては、例えば、特許文献１〜３などに提案されている。
【０００３】
特許文献１〜３では、電池を収納するためのカップ部分を有する浅皿状のトレイ部と、トレイ部の開口を覆うカバー部とが係合または粘着テープなどでの張り合わせなどで組み合わされてなるブリスターパックが提案されている。そして、トレイ部においては、搬送中などに収納した電池が内部で移動しないようにするために、カップ部分が電池の外形に合わせて区切られている。
【特許文献１】特開２０００−７０２４号公報
【特許文献２】特開２００３−２５２３７０号公報
【特許文献３】特開２００５−１２６１０３号公報
【発明の開示】
【発明が解決しようとする課題】
【０００４】
しかしながら、上記特許文献１〜３で提案されているものをはじめとするブリスターパックでは、トレイ部とカバー部とが密着しているので、ブリスターパックを誤って落下させたような場合には、その衝撃がトレイ部の壁を伝わって内部に収納されている電池へと伝達されてしまう。
ここで、電池は、内部に収納された電極体と電池端子との間の接続が、帯状などをした金属箔であるタブなどでなされており、外部から強い衝撃が加わった場合には、タブが切断されてしまうこともある。また、電極体における正極板と負極板との間に介挿されているセパレータが衝撃により損傷してしまうことがある。このように電池は外部から強い衝撃を受けると使用できなくなるおそれがあるので、搬送中を含めて強い衝撃が加わらないようにする必要がある。
【０００５】
本発明は、上記問題に鑑みなされたものであって、搬送中などにおける外部からの衝撃に対し、それ自体の損傷が抑制され、且つ、内部に収納した電池を確実に保護することができる電池用包装容器と電池パッケージを提供することを目的とする。
【課題を解決するための手段】
【０００６】
上記目的を達成するために、本発明は、以下の構成を採用する。
本発明に係る電池用包装容器は、トレイとカバーとの組み付けにより、内部に電池用の収納空間が形成される。そして、本発明に係る電池用包装容器では、トレイは、カップ状に形成された電池収納部と、当該電池収納部の外縁に設けられたフランジ状の縁部とを有する浅皿状をしており、カバーは、トレイにおける電池収納部と縁部とを覆う状態に形成されている。
【０００７】
本発明に係る電池用包装容器では、カバーにおける縁部の外辺の少なくとも一部と、トレイにおける電池収納部とを最短距離で結ぶ線上に、外部からの衝撃を緩和する緩衝部が設けられている、ことを特徴とする。
なお、本発明に係る電池用包装容器においては、トレイとカバーとは一辺を共用して一続きに形成されていてもよいし、トレイとカバーとが別々の部品として形成されていてもよい。
【０００８】
また、本発明に係る電池パッケージは、１または複数の電池が包装容器内に収納されてなるものであって、包装容器として上記本発明に係る電池用包装容器が用いられている、ことを特徴とする。
【発明の効果】
【０００９】
上記のように、本発明に係る電池用包装容器では、カバーにおける縁部の外辺の少なくとも一部と、トレイにおける電池収納部を最短距離で結ぶ線上に衝撃緩和のための緩衝部が設けられている。このため、本発明に係る電池用包装容器では、搬送中などに誤って電池が収納された状態の包装容器を落下させた場合にあっても、外部からの衝撃が伝達される経路中に緩衝部が設けられていることにより、内部の電池および包装容器が損傷するようなことがない。
【００１０】
以上のように、本発明に係る電池用包装容器では、衝撃が伝達される経路中に緩衝部を設けることにより、電池を収納した状態の電池用包装容器を誤って落下させたような場合にあっても、電池への衝撃力の伝達を抑えることができ、また、包装容器の損傷を抑えることができる。
なお、緩衝部を設ける箇所については、電池の収納形態などに応じて、カバーおよびトレイにおける落下時に最も早く接地する確率の高い箇所、あるいはこれに準ずる箇所に応じて設けておくことが望ましい。
【００１１】
本発明に係る電池パッケージは、上記本発明に係る電池用包装容器を構成として備えるので、上記同様の効果を得ることができる。
本発明に係る電池用包装容器および電池パッケージでは、次のようなバリエーションを一例として採用することができる。
上記本発明に係る電池用包装容器および電池パッケージでは、カバーにおける外辺の少なくとも一部がトレイにおける縁部の対応する部分よりも外方に突出しており、緩衝部が、カバーにおける突出部分とトレイにおける電池収納部とを最短距離で結ぶ線上に設けられている、という構成を採用することができる。これにより、落下時において、先にカバーが床や地面に当たることになり、電池の収納部を有するトレイに直に衝撃が伝わることがない。
【００１２】
上記本発明に係る電池用包装容器および電池パッケージでは、トレイにおける電池収納部と縁部との境界部分に、縁部の主面から起立した壁面を構成しておき、一方、カバーにおけるトレイの起立壁面が形成された部分に対応する箇所に、互いの組み付け時に対向する起立壁面を形成しておく。このような構成を採用する場合において、カバーにおける突出部分と、トレイにおける電池収納部とを最短距離で結ぶ線上において、トレイの起立壁面とカバーにおける起立壁面との間に緩衝部としての間隙をあけておく、という構成を採用することができる。
【００１３】
なお、上記本発明に係る電池用包装容器および電池パッケージでは、トレイとカバーとの組み付けが、互いの起立壁面に設けられた凹凸同士の嵌合によりなされるように構成しておくことができる。
本発明に係る電池用包装容器および電池パッケージでは、上記緩衝部として、スポンジなどを介挿させておくこともできるが、間隙を以って緩衝部を構成するようにすれば、コストおよび重量などの観点から、さらには装飾性などの観点から、スポンジなどを改装する場合に比べて優れる。
【００１４】
また、上記本発明に係る電池用包装容器および電池パッケージでは、トレイおよびカバーを、これらを平面視する場合に、角部分にＲ（曲率）がついた矩形状を有するものとする。そして、この場合において、カバーにおける角部分の曲率半径が、トレイにおける角部分の曲率半径よりも小さく設定し、角部分同士の曲率半径の差をもってカバーの突出部分を構成する、という形態を採用することができる。このような形態でカバーの突出部分を構成するようにすれば、装飾性という観点から優れ、また、搬送中などにおける安全性の向上も図ることができる。
【００１５】
また、上記本発明に係る電池用包装容器および電池パッケージでは、上記のように、カバーおよびトレイの角部分に曲率をもたせ（角部分にＲをつけ）、上記のように角部分にカバーの突出部分を形成する場合においては、トレイおよびカバーの角部分とトレイの電池収納部とを最短距離で結ぶ線上に、緩衝部を設けておく、という構成を採用することができる。なお、角部分に突出部分を設けるのは、電池が収納された電池用包装容器を落下させた際に、容器の角部分が最初に接地し易い、という実験的・経験的な見地によるものである。
【００１６】
また、上記本発明に係る電池用包装容器および電池パッケージでは、トレイおよびカバーを、ともに樹脂材料から形成し、トレイおよびカバーの少なくとも一方が、光透過性を有するようにしておくことができる。このような構成を採用する場合には、電池が収納された電池用包装容器が店頭に陳列された場合において、購買者が収納された電池を容易に識別することができ、また、電池の表面などのデザインなどにより装飾性に優れる。
【００１７】
また、上記本発明に係る電池用包装容器および電池パッケージでは、トレイおよびカバーにおける少なくとも外表面を抗菌処理しておく、という構成を採用することができる。このような構成を採用する場合には、搬送段階などで多くの人の手に触れた場合などにおいても、購買者が安心して電池パッケージを手にとることができる。
また、本発明に係る電池パッケージでは、内部に収納される電池の種類や形態などには限定はないが、ニッケル水素二次電池を収納する場合には、特に上記効果を得るうえで有効である。即ち、ニッケル水素二次電池は、マンガン一次電池やニッケルカドミウム二次電池、およびリチウム二次電池などに比べて、単に容積あたりの重量が大きく、パッケージが落下した際の衝撃力が重量に応じて大きくなるためである。
【発明を実施するための最良の形態】
【００１８】
以下では、本発明を実施するための最良の形態について、一例を示して説明する。なお、以下の説明で用いる実施の形態は、本発明の構成および作用・効果を分かりやすく説明するために用いる一例であって、  本発明は、その本質的部分以外に何ら以下の形態に限定を受けるものではない。
［実施の形態１］
１．電池パッケージ１の構成
本実施の形態に係る電池パッケージ１について、図１を用い説明する。
【００１９】
図１に示すように、電池パッケージ１は、包装容器としてのブリスターパック１０と、その内方に収納される複数の電池２０とから構成されている。この内、電池２０は、円筒形の外観形状を有し、例えば、ニッケル水素二次電池である。
ブリスターパック１０は、トレイ１２とカバー１１との組み合わせにより構成されている。トレイ１２は、Ｚ軸方向に深さを有するカップ状の電池収納部１２ａと、その外縁にフランジ状に設けられた縁部１２ｂとが一体に構成されている。図１に示すように、トレイ１２においては、電池収納部１２ａと縁部１２ｂとの境界部分において、電池収納部１２ａの開口縁を取り囲む状態に尾根状に起立した部分が形成され、起立壁角部１２ｃが曲率（Ｒ）を以って構成されている。
【００２０】
なお、トレイ１２における電池収納部１２ａの底面からは、収納した電池２０の移動を抑制するためのホルダーとして機能する仕切りが設けられている。
一方、カバー１１は、トレイ１２に取り付けた際に、電池収納部１２ａに対向する部分が膨出しており（膨出部１１ａ）、当該膨出部１１ａに対し、その外縁にフランジ状の縁部１１ｂが一体に構成されている。膨出部１１ａにおける側壁となる起立壁においても、その起立壁角部１１ｃが曲率（Ｒ）を以って構成されている。
【００２１】
本実施の形態に係る電池パッケージ１のブリスターパック１０は、トレイ１２およびカバー１１が、ともに光透過性を有する樹脂材料から構成されている。また、トレイ１２およびカバー１１は、少なくともその外表面が抗菌加工されている。
２．トレイ１２およびカバー１１の構成
ブリスターパック１０を構成するトレイ１２およびカバー１１の構成について、図２を用い説明する。図２は、（ａ）がトレイ１２の構成を示す平面図であり、（ｂ）がそのＡ−Ａ’断面を示す断面図であり、（ｃ）がカバー１１の構成を示す平面図であり、（ｄ）がそのＢ−Ｂ’断面を示す断面図である。
【００２２】
図２（ａ）に示すように、トレイ１２は、平面視するとき、縁部１２ｂの外辺における各縁角部１２ｄが曲率（Ｒ）を以って構成されている。Ｘ軸方向下側の２箇所の縁角部１２ｄの曲率半径Ｒ２は、例えば、１３［ｍｍ］に設定されている。また、上述のように、起立壁角部１２ｃについても、曲率（Ｒ）を以って構成されている。Ｘ軸方向下側の２箇所の起立壁角部１２ｃの曲率半径Ｒ１は、例えば、１２［ｍｍ］に設定されている。電池収納部１２ａは、Ｘ軸方向において、２列に分けられており、各列に６本の電池２０が収納され、合計１２本の電池２０が収納されるようになっている。電池２０は、本実施の形態においては、単３型電池である。
【００２３】
図２（ｂ）に示すように、トレイ１２における電池収納部１２ａの底壁外面１２ｇは、平面状になっており、縁部１２ｂと略平行となるように形成されている。
図２（ａ）に戻って、トレイ１２では、起立壁におけるＸ軸方向に延伸する部分において、各２箇所の係合凹部１２ｅが形成されている。係合凹部１２ｅは、Ｙ軸方向において、起立壁の外面側から電池収納部１２ａの側に向けて凹入している。また、トレイ１２には、Ｘ軸上部にフック用の孔（フック孔部１２ｆ）が設けられている。
【００２４】
図２（ｃ）に示すように、カバー１１は、平面視するとき、膨出部１１ａの周りを取り囲むように、フランジ状の縁部１１ｂが形成されている。そして、縁部１１ｂの外辺における各縁角部１１ｄは、曲率（Ｒ）を以って構成されており、Ｘ軸方向下側の２箇所の縁角部１１ｄの曲率半径Ｒ４は、例えば、７［ｍｍ］に設定されている。
また、起立壁角部１１ｃについても、上述のように、曲率（Ｒ）を以って構成されており、Ｘ軸方向下側の２箇所の曲率半径Ｒ３は、例えば、６［ｍｍ］に設定されている。
【００２５】
図２（ｄ）に示すように、膨出部１１ａは、Ｚ軸方向に電池２０をその径方向に逃がすように設けられており、その底壁外面１１ｇは、平面状になっており、縁部１１ｂと略平行となるように形成されている。
図２（ｃ）に戻って、カバー１１では、膨出部１１ａの周囲の起立壁に、上記トレイ１２の係合凹部１２ｅに対応する係合凸部１１ｅが形成されている。係合凸部１１ｅは、Ｙ軸方向において、起立壁から膨出部１１ａの側に向けて突出形成されている。また、カバー１１にも、Ｘ軸上部にフック用の孔（フック孔部１１ｆ）が設けられており、トレイ１２へ係合させた際に、フック孔部１２ｆと重なるようになっている。
【００２６】
３．ブリスターパック１０を備える電池パッケージ１の優位性
本実施の形態に係る電池パッケージ１が有する優位性について、図３を用い説明する。図３は、ブリスターパック１０の一部を抜き出して示す平面図である。
図３に示すように、ブリスターパック１０においては、カバー１１の縁角部１１ｄが、上記のように、曲率半径Ｒ４（例えば、７［ｍｍ］）を以って形成されている。これに対して、トレイ１２の対応する縁角部１２ｄは、曲率半径Ｒ２（例えば、１３［ｍｍ］）を以って形成されている。ブリスターパック１０では、（Ｒ４＜Ｒ２）の関係を以ってカバー１１およびトレイ１２の各縁角部１１ｄ、１２ｄが形成されており、これにより、図３に示すように、カバー１１の縁角部１１ｄが、トレイ１２の縁角部１２ｄに対して突出している。
【００２７】
上記のようなカバー１１の縁角部１１ｄとトレイ１２の縁角部１２ｄとの関係を有するブリスターパック１０では、誤って落下させてしまったような場合に、先ずカバー１１に衝撃力Ｆが加わることになる。
上記のように、ブリスターパック１０においては、カバー１１の起立壁角部１１ｃが、曲率半径Ｒ３（例えば、６［ｍｍ］）を以って形成されている。これに対して、トレイ１２の対応する起立壁角部１２ｃは、曲率半径Ｒ１（例えば、１２［ｍｍ］）を以って形成されている。ブリスターパック１０では、（Ｒ３＜Ｒ１）の関係を以ってカバー１１およびトレイ１２の起立壁角部１１ｃ、１２ｃが形成されており、これにより、カバー１１とトレイ１２との間に隙間（間隙１０ａ）が設けられている。
【００２８】
間隙１０ａは、ブリスターパック１０を平面視するとき、カバー１１の縁角部１１ｄとトレイ１２の電池収納部１２ａとを最短距離で結ぶ線上に形成されている。このため、上記のように電池２０が収納されたブリスターパック１０（電池パッケージ１）を誤って落下させた場合においても、カバー１１の縁角部１１ｄから入力された衝撃力が間隙１０ａにより弱められることになる。即ち、電池パッケージ１では、間隙１０ａが外部からの衝撃に対する緩衝部として機能する。
【００２９】
以上より、電池パッケージ１では、誤って落下させてしまったような場合にあっても、衝撃力Ｆがカバー１１の縁角部１１ｄから入力された後、緩衝部としての間隙１０ａで弱められてからしか、トレイ１２に伝達されない。このため、上記構成を有するブリスターパック１０を備える電池パッケージ１では、搬送中などに受ける衝撃に対しても、確実に収納されている電池２０を保護することが可能である。また、本実施の形態に係る電池パッケージ１では、間隙１０ａを設けることにより、落下時におけるブリスターパック１０自体の損傷も抑制することができる。
【００３０】
また、本実施の形態に係るブリスターパック１０では、カバー１１およびトレイ１２を光透過性を有する樹脂材料から構成しているので、収納された電池２０がブリスターパック１０の外方からも視認することができ、商品の識別性、および装飾性という観点から優れている。
さらに、カバー１１およびトレイ１２は、その外表面が抗菌処理されているので、搬送中などに多数の人の手が触れられた電池パッケージ１であっても、購買者は安心してこれを手にすることができる。
［実施の形態２］
１．電池パッケージ２の構成
実施の形態２に係る電池パッケージ２の構成について、図４を用い説明する。なお、以下では、上記実施の形態１と相違する点を中心として説明を行い、同一構成部分については詳細な説明を省略する。
【００３１】
図４に示すように、本実施の形態に係る電池パッケージ２では、カバー３１とトレイ３２との組み合わせからなるブリスターパック３０に対して、その内方に合計８本の電池４０が収納されてなる。このため、トレイ３２およびカバー３１は、上記実施の形態１のトレイ１２およびカバー１１に対して、Ｙ軸方向に幅狭となっている。
トレイ３２は、上記トレイ１２と同様に、電池収納部３２ａと縁部３２ｂとが一体に形成されてなる。また、カバー３１は、Ｚ軸方向に膨出した膨出部３１ａと縁部３１ｂとが一体に形成されてなる。トレイ３２およびカバー３１は、ともに樹脂材料から構成されており、光透過性を有する。
【００３２】
なお、本実施の形態では、電池４０として単４型電池を採用している。
２．トレイ３２およびカバー３１の構成
トレイ３２およびカバー３１の各構成について、図５を用い説明する。図５（ａ）は、トレイ３２の構成を示す平面図であり、図５（ｂ）は、カバー３１の構成を示す平面図である。
【００３３】
図５（ａ）に示すように、トレイ３２においても、上記トレイ１２と同様に、縁角部３２ｄが曲率（Ｒ）を以って構成され、また、起立壁角部３２ｃも曲率（Ｒ）を以って構成されている。縁角部３２ｄの内、Ｘ軸方向下側の２箇所の縁角部３２ｄは、曲率半径Ｒ６（例えば、１３［ｍｍ］）を以って構成されている。起立壁角部３２ｃの内、Ｘ軸方向下側の２箇所の起立壁角部３２ｃは、曲率半径Ｒ５（例えば、１２［ｍｍ］）を以って構成されている。
【００３４】
なた、トレイ３２でも、起立壁に合計４箇所の係合凹部３２ｅが形成されており、また、Ｘ軸方向上部にフック用の孔（フック孔部３２ｆ）が形成されている。
次に、図５（ｂ）に示すように、カバー３１は、上記カバー３１と同様に、縁角部３１ｄが曲率（Ｒ）を以って構成され、また、膨出部３１ａの周囲壁である起立壁の角部（起立壁角部）３１ｃも、曲率（Ｒ）を以って構成されている。カバー３１において、縁角部３１ｄの内、Ｘ軸方向下側の２箇所の縁角部３１ｄは、曲率半径Ｒ８（例えば、７［ｍｍ］）を以って構成されている。起立壁角部３１ｃの内、Ｘ軸方向下側の２箇所の起立壁角部３１ｃは、曲率半径Ｒ７（例えば、６［ｍｍ］）を以って構成されている。
【００３５】
上記のように、ブリスターパック１０では、上記実施の形態１と同様に、（Ｒ８＜Ｒ６）の関係を以ってカバー３１およびトレイ３２の各縁角部３１ｄ、３２ｄが形成されており、これにより、カバー３１の縁角部３１ｄが、トレイ３２の縁角部３２ｄに対して外方に突出することになる。よって、本実施の形態に係るブリスターパック３０においても、電池４０が収納された状態で誤って落下させてしまったような場合に、先ずカバー３１の縁角部３１ｄに衝撃力が加わることになる。
【００３６】
また、ブリスターパック３０でも、カバー３１における起立壁角部３１ｃの曲率半径Ｒ７と、トレイ３２における起立壁角部３２ｃの曲率半径Ｒ５とが、（Ｒ７＜Ｒ５）の関係を以ってカバー３１およびトレイ３２が形成されているので、上記実施の形態１と同様に、カバー３１とトレイ３２との間に緩衝部としての間隙が設けられることになる。
なお、本実施の形態に係る電池パッケージ２においても、ブリスターパック３０における緩衝部は、トレイ３２に対してカバー３１が突出した縁角部３１ｄと、トレイ３２の電池収納部３２ａとを最短距離で結ぶ線上に形成されている。
【００３７】
３．ブリスターパック３０を備える電池パッケージ２の優位性
本実施の形態に係るブリスターパック３０についても、外部からの衝撃力に対する緩衝構造などにおいて、上記実施の形態１に係るブリスターパック１０と同様の構成を有するので、上記同様の効果を奏することができる。即ち、電池パッケージ２でも、誤って落下させてしまったような場合に、衝撃力がカバー３１の縁角部３１ｄから入力された後、緩衝部としてのカバー３１とトレイ３２との間隙で弱められてから、トレイ３２に伝達される。このため、上記構成を有するブリスターパック３０を備える電池パッケージ２では、搬送中などに受ける衝撃に対しても、ブリスターパック３０およびその中に収納されている電池４０を保護することが可能である。
［その他の事項］
上記実施の形態１および実施の形態２は、本発明の構成を分かりやすく説明するために用いた一例である。よって、本発明は、その本質的な部分を除き、上記実施の形態１、２に何ら限定されるものではない。例えば、実施の形態１では、収納電池の本数を１２本とし、実施の形態２では、８本としたが、電池の収納本数については、１本であってもよく、１３本以上であってもよい。
【００３８】
また、上記実施の形態１および実施の形態２では、カバー１１、３１の４箇所の縁角部１１ｄ、３１ｄの内、Ｘ軸方向下側２箇所の縁角部１１ｄ、３１ｄが、これに対応する箇所のトレイ１２、３２の各縁角部１２ｄ、３２ｄよりも外方に突出するようにしたが、４箇所すべてのカバー１１、３１の縁角部１１ｄ、３１ｄにこの形態を適用することも可能である。
【００３９】
また、カバー１１、３１の縁部１１ｂ、３１ｂの外辺の全ての箇所が、トレイ１２、３２の縁部１２ｂ、３２ｂの外辺よりも外方に突出することとしてもよいし、縁角部１１ｄ、３１ｄ以外の部分だけを突出する構成とすることもできる。カバー１１、３１における突出させる箇所については、電池２０、４０の収納形態などに応じ、電池パッケージの落下に係るモードを解析するなどして決定することができる。
【００４０】
また、カバー１１、３１およびトレイ１２、３２における各縁角部１１ｄ、３１ｄ、１２ｄ、３２ｄについて、必ずしも曲率を持たせる必要はなく、角がついたままやテーパーカットされた形態とすることもできる。また、上記実施の形態１および実施の形態２では、カバー１１、３１とトレイ１２、３２とを別々の部品としたが、カバーとトレイを一続きに形成しておいてもよい。具体的には、カバーとトレイとを互いの一辺を共用するように形成しておき、電池収納部に電池を収納した後に、前記一辺で折り返すようにしてトレイにカバーを重ね合わせる構成を採用することもできる。
【００４１】
また、上記実施の形態１および実施の形態２では、外部からの衝撃を緩和するための緩衝部として、カバー１１、３１とトレイ１２、３２との間に間隙１０ａを形成したが、緩衝部としてスポンジやゴムなどを挟みこむ構成を採用することもできる。ただし、コストの上昇を抑えるという観点からは、間隙により緩衝部を構成することが望ましい。
また、上記実施の形態１および実施の形態２では、円筒形のニッケル水素二次電池を収納電池としたが、電池の形状および電池の種類については、これに限定されるものではない。例えば、角型やコイン型などの電池を収納してなる電池パッケージについて、本発明を適用することもできるし、マンガン一次電池やニッケルカドミウム電池、さらにはリチウムイオン電池などを収納する電池パッケージに対して本発明を適用することもできる。
【００４２】
また、上記実施の形態１および実施の形態２では、カバー１１、３１およびトレイ１２、３２の構成材料として樹脂材料を採用し、光透過性を有することとしたが、使用材料については上記以外にも、紙や金属材料等を用いることもでき、光透過性は必須の要件ではない。
さらに、上記実施の形態１および実施の形態２では、カバー１１、３１における縁部１１ｂ、３１ｂの下側２箇所の縁角部１１ｄ、３１ｄがトレイ１２、３２の対応する縁角部１２ｄ、３２ｄよりも外側に突出する形態を採用したが、必ずしも、この構成については必須ではない。例えば、トレイ１２、３２における縁部１２ｂ、３２ｂをアコーデオン状に加工することとしても、外部からの衝撃を緩和することができる。この場合には、アコーデオン状に加工されたトレイ１２、３２の縁部１２ｂ、３２ｂの該当部分が緩衝部として機能する。
【産業上の利用可能性】
【００４３】
本発明は、搬送中などに受ける衝撃などに対しても、確実に内部に収納される電池を保護することができる電池用包装容器と電池パッケージを実現するのに有用である。
【図面の簡単な説明】
【００４４】
【図１】実施の形態１に係る電池パッケージ１の概略構成を示す展開斜視図である。
【図２】トレイ１２の構成を示す平面図および断面図と、カバー１１の構成を示す平面図および断面図である。
【図３】ブリスターパック１０のコーナ部分におけるトレイ１２とカバー１１との相対位置関係を示す平面図である。
【図４】実施の形態２に係る電池パッケージ２の概略構成を示す展開斜視図である。
【図５】トレイ３２の構成を示す平面図および断面図と、カバー３１の構成を示す平面図および断面図である。
【符号の説明】
【００４５】
１，２．電池パッケージ
１０，３０．ブリスターパック
１１，３１．カバー
１２，３２．トレイ
２０，４０．電池
【図１】
2010092603.tif 000003
【図２】
2010092603.tif 000004
【図３】
2010092603.tif 000005
【図４】
2010092603.tif 000006
【図５】
2010092603.tif 000007